(57)【特許請求の範囲】
【請求項１】
吹出口に隣接して配され第１ルーバ群と第２ルーバ群とから成る風向き調整用の複数枚のルーバと、
前記ルーバに同軸に配された一対の第１，第２ルーバ軸と、
同軸に配された一対の第１，第２駆動軸と、
前記第１，第２駆動軸を個別に回動制御する駆動源と、
前記第１ルーバ群の前記第１ルーバ軸と前記第１駆動軸とをそれぞれに設けられた偏心カムを介して連結する第１連結部材と、
前記第２ルーバ群の前記第２ルーバ軸と前記第２駆動軸とをそれぞれに設けられた偏心カムを介して連結する第２連結部材と、
を備えたことを特徴とする空気調和機の吹出口開閉装置。
【請求項２】
略長方形に開口した吹出口と、
該吹出口の周囲の対向する壁面に一列に並んで設けられた一対の軸孔と、
風向き調整用の複数枚のルーバと、
該ルーバの一端側から突出するとともに前記一対の軸孔の一方に挿通された第１ルーバ軸と、
該第１ルーバ軸と同軸に配され前記ルーバの他端側から突出するとともに前記一対の軸孔の他方に挿通された第２ルーバ軸と、
前記第１ルーバ軸が挿通された前記軸孔の列の延長線と直交する回転自在な第１駆動軸と、
前記第２ルーバ軸が挿通された前記軸孔の列の延長線と直交するとともに前記第１駆動軸と同軸に配された回転自在な第２駆動軸と、
前記第１駆動軸を回転駆動する第１駆動源と、
前記第２駆動軸を回転駆動する第２駆動源と、
前記第１，第２ルーバ軸及び前記第１，第２駆動軸を軸止する偏心カムと、
を有し、
前記複数枚のルーバを所定の規則に基づき第１ルーバ群と第２ルーバ群とに区別し、前記第１ルーバ群に属するルーバの前記第１ルーバ軸を前記偏心カムのカム軸を介して第１連結部材に連結するとともに、前記第２ルーバ群に属するルーバの前記第２ルーバ軸を前記偏心カムのカム軸を介して第２連結部材に連結し、更に、前記第１駆動軸を前記偏心カムのカム軸を介して前記第１連結部材に連結するとともに、前記第２駆動軸を前記偏心カムのカム軸を介して前記第２連結部材に連結したことを特徴とする空気調和機の吹出口開閉装置。
【請求項３】
前記第１ルーバ群は、隣接する任意の数のルーバから成り、前記第２ルーバ群はそれ以外の隣接するルーバから成ることを特徴とする請求項１又は請求項２に記載の空気調和機の吹出口開閉装置。
【請求項４】
前記第１ルーバ群は、端から数えて奇数番目にあるルーバのすべてから成り、前記第２ルーバ群はそれ以外の偶数番目にあるルーバのすべてから成ることを特徴とする請求項１又は請求項２に記載の空気調和機の吹出口開閉装置。
【請求項５】
前記ルーバが水平ルーバ又は垂直ルーバであり、これら水平及び垂直ルーバを前記吹出口に併設したことを特徴とする請求項１〜請求項４のいずれかに記載の空気調和機の吹出口開閉装置。
【発明の詳細な説明】
【０００１】
【発明の属する技術分野】
本発明は、風向き調整用のルーバを吹出口に備えた空気調和機の吹出口開閉装置に関するものである。
【０００２】
【従来の技術】
図１２は、特開平９−４２７５５号公報に開示された従来の据え置き型空気調和機の一例の外観斜視図である。図１２において、１００は空気調和機、１０１はその本体、１０３は本体１０１の前面の上方に形成された空気の吹出口、１０４は吹出口１０３の開口側に配された水平ルーバ、１０５は吹出口１０３の水平ルーバ１０４の奥方に配された垂直ルーバ、１０６は本体１０１の前面の下方に形成された空気の吸込口である。
【０００３】
この構成により、空気調和機１００が運転されると、吸込口１０６から空気が吸い込まれ、本体１０１の内部の通風路に配された熱交換器（図示せず）を通過する際に熱交換された後、垂直，水平ルーバ１０５，１０４により左右方向及び上下方向の風向きを微調整された状態で吹出口１０３から温風又は冷風が送出される。これにより、空気調和機１００の設置された空間において所望の空調効果を得ることができる。
【０００４】
図１３は、その空気調和機の吹出口の内部の分解斜視図である。図１３に示すように、略長方形をした吹出口１０３の周囲は、金属製の本体１０１を断面コの字状に折り曲げて形成したフレーム部１０２となっている。尚、図１３では、吹出口１０３の上端及び下端のフレーム部１０２を省略している。
【０００５】
次に、水平ルーバ１０４の吹出口１０３への取付手順を説明する。水平ルーバ１０４は５枚で一組となっており、その側面の両方には一対の第１ルーバ軸１０８，１０８が長手方向に沿って同軸上に併設されている。更に、水平ルーバ１０４の右側面の第１ルーバ軸１０８のわずかに後方には、第１ルーバ軸１０８よりも長い寸法に選ばれた第２ルーバ軸１０９が水平ルーバ１０８の長手方向に沿って設けられている。
【０００６】
左右のフレーム部１０２の側面１０２ａには、同じ高さで対峙する一対の軸孔１１７，１１７が等しい間隔で一列に５箇所設けられている。この丸穴１１７には、水平ルーバ１０４の第１ルーバ軸１０８が挿通されるようになっている。モータ１１０のモータシャフト（図示せず）には、一端部にカム軸１１２を備えた偏心カム１１１の他端部が回転可能に取り付けられている。これにより、モータシャフト（図示せず）の回転に伴い、偏心カム１１１のカム軸１１２がモータシャフト（図示せず）を中心として回転することになる。尚、カム軸１１２は略円筒形をしており、その軸方向の略中央部は内径がそれ以外の部分より小さい小径部１１２ａとなっている。
【０００７】
細長い板状の連結部材１１３には、軸孔１１４が上記軸孔１１７と等しい間隔で一列に５つ設けられいる。また、この連結部材１１３の下端には、長手方向と略直交する方向に切欠き１１５が形成されている。尚、この連結部材１１３の厚みは、カム軸１１２の小径部１１２ａの軸方向の長さと略等しい寸法に選ばれている。従って、小径部１１２ａを切欠き１１５の開放端から奥へ挿入することにより、カム軸１１２を位置ずれのない状態で連結部材１１３に確実に固定できる。
【０００８】
このようにしてカム軸１１２を介してモータ１１０を固定した連結部材１１３を、吹出口１０３の右側のフレーム部１０２内に保持しておく。そして、水平ルーバ１０４を１枚づつ左側の第１ルーバ軸１０８を左側のフレーム部１０２の軸孔１１７に挿入するとともに、その軸孔１１７と同じ高さにある右側のフレーム部１０２の軸孔１１７に右側の第１ルーバ軸１０８を挿入する。更に、第２ルーバ軸１０９を連結部材１１３の対応する軸孔１１４に挿入して結合する。最後に、抜け防止用のキャップ１１６を左側の第１ルーバ軸１０８の先端に填める。
【０００９】
このような作業を５枚の水平ルーバ１０４のすべてに対して行うことにより、吹出口１０３の開閉装置の組立が完了する。尚、図示はしないが、水平ルーバ１０４の奥方には、同様の構成を備えた５枚の垂直ルーバ１０５（図１４参照）が上記と同様の手順によってあらかじめ配設されているものとする。
【００１０】
【発明が解決しようとする課題】
以上のような構成を有する吹出口１０３において、モータ１１０が駆動されると、モータシャフト（図示せず）が回転し、偏心カム１１１を介して連結部材１１３がモータシャフト（図示せず）を中心として同じ方向に回動する。尚、その回動角は０°〜１８０°とする。これにより、水平ルーバ１０４の第２ルーバ軸１０９が連結部材１１３とともに回動し、この動作と連動して連結部材１１３の回動角と等しい角度だけ第１ルーバ軸１０８を中心として５枚の水平ルーバ１０４が一体的に回動することになる。
【００１１】
図１４は吹出口の概略的な側面断面図である。空気調和機１００（図１２参照）の運転停止時には、図１４に示すように、水平ルーバ１０４は傾きのない位置に静止されており、隣接する水平ルーバ１０４の上端部及び下端部が重なり合うことにより吹出口１０３が閉鎖されている。これにより、空気中の塵埃の如きゴミが吹出口１０３から本体１０１内部に侵入することが防止される。
【００１２】
空気調和機１００（図１２参照）の運転を開始すると、その冷房や暖房等の運転モードや設定温度等の運転条件に応じて、制御部（図示せず）からの信号がモータ１１０に送られ、その信号に基づきモータ１１０（図１３参照）はモータシャフト（図示せず）を所定角度だけ正転させる。その回転は偏心カム１１１（図１３参照）のカム軸１１２（図１３参照）を介して連結部材１１３（図１３参照）に伝達され、該連結部材１１３（図１３参照）が同じ方向に回動する。
【００１３】
その結果、水平ルーバ１０４が正転（図１４の矢印Ｒ方向）にて回動し、図１５（ａ）のように、約３０°下向きや、図１５（ｂ）のように、略水平にその角度が適当に変更される。これにより、吹出口１０３（図１２参照）から吹き出される空気は、垂直ルーバ１０５（図１２参照）によって左右方向に風向が調整された後、水平ルーバ１０４によって上下方向の風向きが適当に調整された状態で送風されることになる。
【００１４】
そして、空気調和機１００（図１２参照）の運転を停止させると、制御部（図示せず）からの命令によりモータ１１０（図１３参照）が逆転駆動され、再び図１４のように、水平ルーバ１０４によって吹出口１０３が閉鎖される状態に戻るようになっている。
【００１５】
この従来の空気調和機１１０においては、図１３に示すように、水平ルーバ１０４の左側面には第１ルーバ軸１０８のみが配されているのに対し、右側面には、連結部材１１３の軸孔１１４に結合するための第２ルーバ軸１０９が第１ルーバ軸１０８と併せて別途に設けられている。
【００１６】
従って、水平ルーバ１０４は左右非対称な形状をしており、部品の製造コストが上昇するだけでなく、仕様の異なる空気調和機間での部品の互換性が乏しいという問題があった。また、５枚の水平ルーバ１０４は一体的に回動するため、その傾きは常にどの水平ルーバ１０４でも同じであり、限られたパターンでしか風向きを調整できないという問題もあった。
【００１７】
本発明は上記従来の問題点に鑑みてなされたものであり、既存のルーバ形状に変更を加えることなく、運転停止時にルーバによって吹出口を閉鎖できるとともに、運転時の風速や風向きを様々なパターンに制御できる空気調和機の吹出口開閉装置を提供することを目的とする。
【００２２】
【課題を解決するための手段】
上記目的を達成するため本発明による空気調和機の吹出口開閉装置は、吹出口に隣接して配され第１ルーバ群と第２ルーバ群とから成る風向き調整用の複数枚のルーバと、
前記ルーバに同軸に配された一対の第１，第２ルーバ軸と、
同軸に配された一対の第１，第２駆動軸と、
前記第１，第２駆動軸を個別に回動制御する駆動源と、
前記第１ルーバ群の前記第１ルーバ軸と前記第１駆動軸とをそれぞれに設けられた偏心カムを介して連結する第１連結部材と、
前記第２ルーバ群の前記第２ルーバ軸と前記第２駆動軸とをそれぞれに設けられた偏心カムを介して連結する第２連結部材と、
を備えたことを特徴とする。
【００２３】
これによると、駆動源により第１駆動軸が駆動されると、偏心カムのカム軸の回動を介して第１連結部材が回動する。そして、第１ルーバ軸が連結された偏心カムのカム軸の回動を介して、第１ルーバ群のルーバが所定角度だけ同一方向に回動する。一方、駆動源により第２駆動軸が駆動されると、偏心カムのカム軸の回動を介して第２連結部材が回動する。そして、第２ルーバ軸が連結された偏心カムのカム軸の回動を介して、第２ルーバ群のルーバが所定角度だけ同一方向に回動する。
【００２４】
また、本発明による空気調和機の吹出口開閉装置は、略長方形に開口した吹出口と、
該吹出口の周囲の対向する壁面に一列に並んで設けられた一対の軸孔と、
風向き調整用の複数枚のルーバと、
該ルーバの一端側から突出するとともに前記一対の軸孔の一方に挿通された第１ルーバ軸と、
該第１ルーバ軸と同軸に配され前記ルーバの他端側から突出するとともに前記一対の軸孔の他方に挿通された第２ルーバ軸と、
前記第１ルーバ軸が挿通された前記軸孔の列の延長線と直交する回転自在な第１駆動軸と、
前記第２ルーバ軸が挿通された前記軸孔の列の延長線と直交するとともに前記第１駆動軸と同軸に配された回転自在な第２駆動軸と、
前記第１駆動軸を回転駆動する第１駆動源と、
前記第２駆動軸を回転駆動する第２駆動源と、
前記第１，第２ルーバ軸及び前記第１，第２駆動軸を軸止する偏心カムと、
を有し、
前記複数枚のルーバを所定の規則に基づき第１ルーバ群と第２ルーバ群とに区別し、前記第１ルーバ群に属するルーバの前記第１ルーバ軸を前記偏心カムのカム軸を介して第１連結部材に連結するとともに、前記第２ルーバ群に属するルーバの前記第２ルーバ軸を前記偏心カムのカム軸を介して第２連結部材に連結し、更に、前記第１駆動軸を前記偏心カムのカム軸を介して前記第１連結部材に連結するとともに、前記第２駆動軸を前記偏心カムのカム軸を介して前記第２連結部材に連結したことを特徴とする。
【００２５】
これによると、第１駆動源が駆動されると、その第１駆動軸が回転し、これに伴う偏心カムのカム軸の回動を介して第１連結部材が回動する。そして、第１ルーバ軸が連結された偏心カムのカム軸の回動を介して、第１ルーバ群のルーバが所定角度だけ同一方向に回動する。一方、第２駆動源が駆動されると、その第２駆動軸が回転し、これに伴う偏心カムのカム軸の回動を介して第２連結部材が回動する。そして、第２ルーバ軸が連結された偏心カムのカム軸の回動を介して、第２ルーバ群のルーバが所定角度だけ同一方向に回動する。
【００２６】
この場合、前記第１ルーバ群は、隣接する任意の数のルーバから成り、前記第２ルーバ群はそれ以外の隣接するルーバから成るものとすると、第１，第２ルーバ群を境として吹出口が２つに分割される。従って、それらの回動を個別に制御することにより、様々な空気の吹き出しパターンが実現される。
【００２７】
また、前記第１ルーバ群は、端から数えて奇数番目にあるルーバのすべてから成り、前記第２ルーバ群はそれ以外の偶数番目にあるルーバのすべてから成るものとすると、１つ飛ばしで交互に存在する第１，第２ルーバ群の回動を個別に制御することにより、様々な空気の吹き出しパターンが実現される。
【００２８】
尚、このような機構を有したルーバは、水平ルーバと垂直ルーバのどちらか一方でもよいし、水平ルーバと垂直ルーバとが吹出口に併設されているときは、双方としても構わない。
【００２９】
【発明の実施の形態】
＜第１の実施形態＞
本発明の第１の実施形態について図面を参照して説明する。図１は本発明に係る空気調和機の吹出口近傍の斜視図であり、図１（ａ），（ｂ）は水平ルーバにより吹出口を閉鎖した状態、水平ルーバを略９０°回動して吹出口を開放した状態をそれぞれ示している。尚、この空気調和機の吹出口の内部以外の構成は、図１２に示す上記従来の空気調和機と同様であるので、ここではその説明を省略する。
【００３０】
図１において、１００は空気調和機、１はその本体、３は本体１の前面の上方に形成された空気の吹出口、４は吹出口３の開口側に配された水平ルーバ、５は吹出口３の水平ルーバ４の奥方に配された垂直ルーバである。尚、本体１の前面の下方には空気の吸込口（図示せず）が形成されているものとする。
【００３１】
この構成により、空気調和機１００が運転されると、吸込口（図示せず）から空気が吸い込まれ、本体１の内部の通風路に配された熱交換器（図示せずを通過する際に熱交換された後、垂直，水平ルーバ５，４により左右方向及び上下方向の風向きを微調整された状態で吹出口３から温風又は冷風が送出される。これにより空気調和機１００の設置された空間において所望の空調効果を得ることができる。
【００３２】
図２は、その空気調和機の吹出口に組み立てられる開閉装置の分解斜視図である。まず、図２中に符号で示された各部について順に説明する。略長方形をした吹出口３の周囲は、金属製の本体１を断面コの字状に折り曲げて形成したフレーム部２となっている。尚、図２では、吹出口３の上端及び下端のフレーム部２を省略している。
【００３３】
水平ルーバ４は８枚で一組となっており、その右側及び左側の側面４ｃ，４ｃの中央部には第１ルーバ軸６Ｒ及び第２ルーバ軸６Ｌが同軸上に設けられている。また、水平ルーバ４の上端部には前方が低くなるような傾きにされた第１傾斜部４ａが形成されている。一方、水平ルーバ４の下端部には後方が高くなるような傾きにされた第２傾斜部４ｂが形成されている。尚、第１傾斜部４ａと第２傾斜部４ｂの傾きは略同一に設定されているものとする。これにより、水平ルーバ４によって吹出口３が閉鎖された状態では、図６（ａ）のように、隣接する水平ルーバ４，４間で第１，第２傾斜部４ａ，４ｂが接触して、水平ルーバ４間に隙間ができないようになっている。
【００３４】
左右のフレーム部２の側面２ａには、同じ高さで対峙する一対の軸孔１７，１７が、水平ルーバ４の側面４ｃの長さｌと等しい間隔で一列に８箇所設けられている。この一対の軸孔１７には、水平ルーバ４の第１、第２ルーバ軸６Ｒ，６Ｌがそれぞれ挿通されるようになっている。吹出口３の下端のフレーム部２の側面２ｂ（図３参照）よりも下方には、第１，第２モータ７Ｒ，７Ｌが互いに背中合わせに併設されており、第１モータ７Ｒのモータシャフト（第１駆動軸）８及び第２モータ７Ｌのモータシャフト（第２駆動軸）８は、図２中の二点鎖線で示す水平な直線Ｌと一致するように設定されている。尚、これらの第１，第２モータ７Ｒ，７Ｌとしては、例えば、ステッピングモータを好適に使用できる。
【００３５】
偏心カム９は、略円筒形の腕部９ａと円筒形の回動部９ｂとから成る部材である。この偏心カム９の腕部９ａは滑らかなカーブをもって連続的に回動部９ｂへと繋がっており、互いの中心軸がずらされるように一体的に形成されている。腕部９ａの回動部９ｂと反対側の端面の中心部には、第１，第２ルーバ軸６Ｒ，６Ｌ及びモータシャフト８が嵌着される軸止孔１０が凹設されている。一方、回動部９ｂの腕部９ａと反対側の端面の端部には、カム軸１１が突設されている。
【００３６】
第１連結部材１２Ｒは扁平な棒状部材であり、図４の平面図に示すように、その長手方向に沿って偏心カム９（図２参照）のカム軸１１（図２参照）が嵌着される軸止孔１３が上端部から等間隔に４つ設けられ、下端部に同じく偏心カム９（図２参照）のカム軸１１（図２参照）が嵌着される軸止孔１４が１つ設けられている。
【００３７】
同様に、第２連結部材１２Ｌは扁平な棒状の部材であり、図５の平面図に示すように、その下端部に偏心カム９（図２参照）のカム軸１１（図２参照）が嵌着される軸止孔１６が１つ設けられ、該軸止孔１６から所定の距離をおいた上方に同じく偏心カム９（図２参照）のカム軸１１（図２参照）が嵌着される軸止孔１５が等間隔に４つ設けられている。尚、第１連結部材１２Ｒにおける４つの軸止孔１３及び第２連結部材１２Ｌにおける４つの軸止孔１５の間隔は、いずれも水平ルーバ４（図２参照）の側面４ｃ（図２参照）の長さｌ（図２参照）と略等しい寸法に選ばれているものとする。
【００３８】
次に、本実施形態に係る吹出口開閉装置の組立手順について図２を参照して説明する。まず、水平ルーバ４の第１，第２ルーバ軸６Ｒ，６Ｌを、フレーム部２の側面２ａに設けられた左右一対の軸孔１７，１７にそれぞれ挿通することにより、８枚の水平ルーバ４すべてをフレーム部２に軸支する。そして、図６（ａ）のように、すべての水平ルーバ４について傾きを揃え、隣接する水平ルーバ４の第１，第２傾斜部４ａ，４ｂが接触するようにして保持する。この状態で、上方の隣接する４枚の水平ルーバ４を第１ルーバ群４Ｈ、下方の隣接する４枚の水平ルーバ４を第２ルーバ群４Ｌとして区別する。
【００３９】
そして、第１ルーバ群４Ｈに属する水平ルーバ４について、軸孔１７に挿通された第１ルーバ軸６Ｒを偏心カム９の軸止孔１０に嵌着するとともに、その偏心カム９のカム軸１１を第１連結部材１２Ｒの軸止孔１３に嵌着する。更に、第１モータ７Ｒのモータシャフト８を偏心カム９の軸止孔１０に嵌着するとともに、その偏心カム９のカム軸１１を偏心カム９の軸止孔１０を嵌着するとともに、その偏心カム９のカム軸１１を第１連結部材１２Ｒの軸止孔１４に嵌着する。これにより、第１ルーバ群４Ｈの水平ルーバ４及び第１モータ７Ｒが偏心カム９を介して第１連結部材１２Ｒに連結される。
【００４０】
一方、第２ルーバ群４Ｌに属する水平ルーバ４について、軸孔１７に挿通された第２ルーバ軸６Ｌを偏心カム９の軸止孔１０に嵌着するとともに、その偏心カム９のカム軸１１を第２連結部材１２Ｌの軸止孔１５に嵌着する。更に、第２モータ７Ｌのモータシャフト８を偏心カム９の軸止孔１０に嵌着するとともに、その偏心カム９のカム軸１１を第２連結部材１２Ｌの軸止孔１６に嵌着する。これにより、第２ルーバ群４Ｈの水平ルーバ４及び第２モータ７Ｌが偏心カム９を介して第２連結部材１２Ｌに連結される。
【００４１】
図３は、本実施形態に係る開閉装置における水平ルーバ及びモータと連結部材との連結状態をフレーム部の一部を破砕して示す一部省略平面図である。図３に示すように、偏心カム９及び第２連結部材１２Ｌは、フレーム部２の内部に隠れるため、吹出口３を手前から見てもこれらは目立たなくなり、好ましい外観は保たれる。この効果は第１連結部材１２Ｒ側においても、同様に得られる。
【００４２】
尚、図示はしないが、水平ルーバ４の奥方には、同様の構成を備えた８枚の垂直ルーバ５（図１（ｂ）参照）が上記と同様の手順によってあらかじめ配設されているものとする。
【００４３】
以上の構成において、第１モータ７Ｒのモータシャフト８が回転駆動されると、偏心カム９のカム軸１１が軸止孔１０を中心として回動する。これにより、第１連結部材１２Ｒが同じ方向に回動し、それに連動する形で第１連結部材１２Ｒの軸止孔１３に嵌着された４つの偏心カム９のカム軸１１がその軸止孔１０を中心として回動する。このとき、第１ルーバ群４Ｈに属する各水平ルーバ４の第１，第２ルーバ軸６Ｒ，６Ｌはフレーム部２の対向する一対の軸孔１７に挿通されているため、第１ルーバ軸６Ｒを支点に軸孔１７及び軸止孔１０を中心として、上記カム軸１１は回動することになる。
【００４４】
これにより、第１ルーバ群４Ｈの隣接する各水平ルーバ４が、軸孔１７を中心としてカム軸１１と同じ方向に一体的に回動する。尚、この一連の動作において、モータシャフト８、第１連結部材１２Ｒ、カム軸１１及び水平ルーバ４の回動角はすべて等しくなることは言うまでもない。
【００４５】
一方、第２モータ７Ｌのモータシャフト８が回転駆動されると、偏心カム９のカム軸１１が軸止孔１０を中心として回動する。これにより、第２連結部材１２Ｌが同じ方向に回動し、それに連動する形で第２連結部材１２Ｌの軸止孔１５に嵌着された４つの偏心カム９のカム軸１１がその軸止孔１０を中心として回動する。このとき、第２ルーバ群４Ｌに属する各水平ルーバ４の第１，第２ルーバ軸６Ｒ，６Ｌはフレーム部２の対向する一対の軸孔１７に挿通されているため、第２ルーバ軸６Ｌを支点に軸孔１７及び軸止孔１０を中心として、上記カム軸１１は回動することになる。
【００４６】
これにより、第２ルーバ群４Ｌの隣接する各水平ルーバ４が、軸孔１７を中心としてカム軸１１と同じ方向に一体的に回動する。尚、この一連の動作において、モータシャフト８、第２連結部材１２Ｌ、カム軸１１及び水平ルーバ４の回動角はすべて等しくなることは言うまでもない。
【００４７】
従って、本実施形態によると、第１ルーバ群４Ｈに属する上部の隣接する４枚の水平ルーバ４と、第２ルーバ群４Ｌに属する下部の隣接する４枚の水平ルーバ４とを、図６（ａ）の矢印Ｒ１及びＲ２のように、個別に回動動作させることができる。これにより、吹出口３より吹き出される空気の風速や風向きを様々なパターンに制御できる。
【００４８】
例えば、図６（ｂ）のように、第２ルーバ群４Ｌの水平ルーバ４を静止させたまま、第１ルーバ群４Ｈの水平ルーバ４のみをＲ１の方向に９０°傾けることができる。この場合は、ファン等による空気の吹き出し風量を変えることなく、吹出口３の略上半分から加速された空気を遠くまで届かせることができるため、空気調和機１００から離れた場所の空調に有利となる。
【００４９】
また、図６（ｃ）のように、第１ルーバ群４Ｈの水平ルーバ４をＲ１の方向にやや上向きに傾けるとともに、第２ルーバ群４Ｌの水平ルーバ４をＲ２の方向にやや下向きに傾けるようにすることもできる。この場合は、吹出口３の略上半分からは空気が上方に向かって吹き出され、吹出口３の略下半分からは空気が下方に向かって吹き出されることになるため、効率よく部屋全体を空調できるといった効果が期待される。
【００５０】
そして、空気調和機１００の運転停止の指示を出すと、制御部（図示せず）は第１モータ７Ｒ（図２参照）及び第２モータ７Ｌ（図２参照）を個別に駆動して、第１ルーバ群４Ｈの水平ルーバ４をＲ１と逆向きに所定角度だけ回動させるとともに、第２ルーバ群４Ｌの水平ルーバ４をＲ２と逆向きに所定角度だけ回動させる。これにより、再び図６（ａ）のように、すべての水平ルーバ４によって吹出口３が閉鎖された状態に戻すことができるため、空気調和機１００の運転停止時に、塵埃の如きゴミが吹出口３から本体１の内部に侵入するのを防止できる。
【００５１】
＜第２の実施形態＞
本発明の第２の実施形態について図面を参照して説明する。図７は本実施形態に係る第１連結部材の平面図であり、図８は同じく第２連結部材の平面図である。尚、本実施形態に係る吹出口の開閉装置の他の構成については、上記第１の実施形態と同一であるので、ここでは説明を繰り返さない。本実施形態に特徴的な構成は、図４の第１連結部材１２Ｒ、図５の第２連結部材１２Ｌに替えて、図７のような第１連結部材１２Ｒ’、図８のような第２連結部材１２Ｌ’をそれぞれ用いたことである。
【００５２】
第１連結部材１２Ｒ’は扁平な棒状部材であり、図７の平面図に示すように、その長手方向に沿って偏心カム９（図２参照）のカム軸１１（図２参照）が嵌着される軸止孔１３が上端部から等間隔に４つ設けられ、下端部に同じく偏心カム９（図２参照）のカム軸１１（図２参照）が嵌着される軸止孔１４が１つ設けられている。
【００５３】
同様に、第２連結部材１２Ｌ’は扁平な棒状の部材であり、図８の平面図に示すように、その下端部に偏心カム９（図２参照）のカム軸１１（図２参照）が嵌着される軸止孔１６が１つ設けられ、該軸止孔１６から所定の距離をおいた上方に同じく偏心カム９（図２参照）のカム軸１１（図２参照）が嵌着される軸止孔１５が等間隔に４つ設けられている。尚、第１連結部材１２Ｒにおける４つの軸止孔１３及び第２連結部材１２Ｌにおける４つの軸止孔１５の間隔は、いずれも水平ルーバ４（図２参照）の側面４ｃ（図２参照）の長さｌ（図２参照）の２倍と略等しい寸法に選ばれているものとする。
【００５４】
本実施形態に係る吹出口開閉装置の組立手順は、図９（ａ）のように、フレーム部２（図２参照）に軸支した８枚の水平ルーバ４の傾きを揃え、隣接する水平ルーバ４の第１，第２傾斜部４ａ，４ｂが接触するようにして保持するところまでは、上記第１の実施形態と同じである。従って、その後の組立手順を図２を参照して以下に説明する。
【００５５】
図９（ａ）において、最も上にある水平ルーバ４から数えて奇数番目にある４枚の水平ルーバ４を第１ルーバ群４Ｘ、それ以外の偶数番目にある４枚の水平ルーバ４を第２ルーバ群４Ｙとして区別する。
【００５６】
そして、第１ルーバ群４Ｘに属する水平ルーバ４について、軸孔１７に挿通された第１ルーバ軸６Ｒを偏心カム９の軸止孔１０に嵌着するとともに、その偏心カム９のカム軸１１を第１連結部材１２Ｒ’（図７参照）の軸止孔１３に嵌着する。更に、第１モータ７Ｒのモータシャフト８を偏心カム９の軸止孔１０に嵌着するとともに、その偏心カム９のカム軸１１を第１連結部材１２Ｒ’（図７参照）の軸止孔１４に嵌着する。これにより、第１ルーバ群４Ｘの水平ルーバ４及び第１モータ７Ｒが偏心カム９を介して第１連結部材１２Ｒ’に連結される。
【００５７】
一方、第２ルーバ群４Ｙに属する水平ルーバ４について、軸孔１７に挿通された第２ルーバ軸６Ｌに偏心カム９の軸止孔１０を嵌着するとともに、その偏心カム９のカム軸１１を第２連結部材１２Ｌ’（図８参照）の軸止孔１５に嵌着する。更に、第２モータ７Ｌのモータシャフト８を偏心カム９の軸止孔１０に嵌着するとともに、その偏心カム９のカム軸１１を第２連結部材１２Ｌ’（図８参照）の軸止孔１６に嵌着する。これにより、第２ルーバ群４Ｙの水平ルーバ４及び第２モータ７Ｌが偏心カム９を介して第２連結部材１２Ｌ’に連結される。
【００５８】
以上の構成において、第１モータ７Ｒ（図２参照）のモータシャフト８（図２参照）が回転駆動されると、偏心カム９（図２参照）のカム軸１１（図２参照）が軸止孔１０（図２参照）を中心として回動する。これにより、第１連結部材１２Ｒ’が同じ方向に回動し、それに連動する形で第１連結部材１２Ｒ’の軸止孔１３に嵌着された４つの偏心カム９（図２参照）のカム軸１１（図２参照）がその軸止孔１０を（図２参照）中心として回動する。
【００５９】
このとき、第１ルーバ群４Ｘに属する各水平ルーバ４の第１，第２ルーバ軸６Ｒ，６Ｌ（図２参照）はフレーム部２（図２参照）の対向する一対の軸孔１７（図２参照）に挿通されているため、第１ルーバ軸６Ｒ（図２参照）を支点に軸孔１７（図２参照）及び軸止孔１０（図２参照）を中心として、上記カム軸１１（図２参照）は回動することになる。
【００６０】
これにより、第１ルーバ群４Ｘの隣接する各水平ルーバ４が、軸孔１７（図２参照）を中心としてカム軸１１（図２参照）と同じ方向に一体的に回動する。尚、この一連の動作において、モータシャフト８（図２参照）、第１連結部材１２Ｒ’、カム軸１１（図２参照）及び水平ルーバ４の回動角はすべて等しくなることは言うまでもない。
【００６１】
一方、第２モータ７Ｌ（図２参照）のモータシャフト８（図２参照）が回転駆動されると、偏心カム９（図２参照）のカム軸１１（図２参照）が軸止孔１０（図２参照）を中心として回動する。これにより、第２連結部材１２Ｌ’が同じ方向に回動し、それに連動する形で第２連結部材１２Ｌ’の軸止孔１６に嵌着された４つの偏心カム９（図２参照）のカム軸１１（図２参照）がその軸止孔１０（図２参照）を中心として回動する。
【００６２】
このとき、第２ルーバ群４Ｙに属する各水平ルーバ４の第１，第２ルーバ軸６Ｒ，６Ｌ（図２参照）はフレーム部２（図２参照）の対向する一対の軸孔１７（図２参照）に挿通されているため、第２ルーバ軸６Ｌ（図２参照）を支点に軸孔１７（図２参照）及び軸止孔１０を（図２参照）中心として、上記カム軸１１（図２参照）は回動することになる。
【００６３】
これにより、第２ルーバ群４Ｙの隣接する各水平ルーバ４が、軸孔１７（図２参照）を中心としてカム軸１１（図２参照）と同じ方向に一体的に回動する。尚、この一連の動作において、モータシャフト８（図２参照）、第２連結部材１２Ｌ’、カム軸１１（図２参照）及び水平ルーバ４の回動角はすべて等しくなることは言うまでもない。
【００６４】
従って、本実施形態によると、第１ルーバ群４Ｘに属する１つ飛ばしで交互の配置にある４枚の水平ルーバ４と、第２ルーバ群４Ｙに属する１つ飛ばしで交互の配置にある４枚の水平ルーバ４とを、個別に回動動作させることができる。これにより、吹出口３より吹き出される空気の風速や風向きを様々なパターンに制御できる。
【００６５】
図９は、吹出口の内部の側面断面図である。空気調和機１００の運転停止時には、第１，第２連結部材１２Ｒ’，１２Ｌ’（図７，８参照）は、モータシャフト８（図２参照）に嵌着された偏心カム９（図２参照）のカム軸１１（図２参照）が嵌着される軸止孔１４，１６（図７，８参照）が一致した状態で静止している。
【００６６】
このとき、図９（ａ）に示すように、第１ルーバ群４Ｘの水平ルーバ４及び第２ルーバ群４Ｙの水平ルーバ４はともに傾きがなく、隣接する８枚の水平ルーバ４の第１，第２傾斜部４ａ，４ｂが接触することにより、吹出口３を閉鎖した状態にある。
【００６７】
この状態から、例えば、第１モータ７Ｒ（図２参照）のモータシャフト８（図２参照）を９０°だけ正転にて回転駆動すると、図９（ａ）の矢印Ａの方向に、偏心カム９（図２参照）のカム軸１１（図２参照）を介して第１連結部材１２Ｒ’（図７参照）の軸止孔１４（図７参照）が軸止孔１０（図２参照）を中心として９０°回動することになる。
【００６８】
これに伴い、第１連結部材１２Ｒ’（図７参照）の各軸止孔１３（図７参照）が軸止孔１０（図２参照）を中心にＡの方向に９０°回動するため、図９（ｂ）に示すように、第２ルーバ群４Ｙの水平ルーバ４を静止したまま、第１ルーバ群４Ｘの水平ルーバ４を略水平に傾けることができる。この場合は、ファン等による空気の吹き出し風量を変えることなく、吹出口３の全領域から付勢された空気を遠くまで届かせることができるため、吹出口３の面積を狭めることなく、空気調和機１００から離れた場所の空調を有利に行えるといった効果が期待される。
【００６９】
そして、空気調和機１００の運転停止の指示を出すと、制御部（図示せず）は第１モータ７Ｒ（図２参照）のみを駆動して、図９（ｂ）の矢印Ｂの方向に第１連結部材１２Ｒ’（図７参照）を軸止孔１０（図２参照）を中心として９０°回動させる。これに伴い、図９（ｂ）の矢印Ｂで示すように、第１ルーバ群４Ｘの水平ルーバ４が９０°だけ逆転にて回動することになる。これにより、再び図９（ａ）のように、すべての水平ルーバ４によって吹出口３が閉鎖された状態に戻すことができるため、空気調和機１００の運転停止時に、空気中の塵埃の如きゴミが吹出口３から本体１の内部に侵入するのを防止できる。
【００７０】
＜第３の実施形態＞
本発明の第３の実施形態について図面を参照して説明する。図１０は、本実施形態に係る空気調和機の吹出口の内部の側面断面図である。尚、図１０において、上記第１，第２実施形態に係る空気調和機と共通の部材には同一の符号を附し、その詳細な説明を省略する。
【００７１】
本実施形態に特徴的な構成は、図１０に示すように、上記の構成を備えた水平ルーバ４を吹出口３の奥方に配設し、垂直ルーバ５をその手前、即ち吹出口３の開口側に設けたことである。従って、本実施形態によると、上記第１，第２実施形態で述べた効果の他に、図１１のように、本体１の前面に縦縞模様２１が施されている場合でも、垂直ルーバ５の前縁部が縦縞模様２１と略平行となるため、垂直ルーバ５が目立たなくなり、空気調和機１００の好ましい外観が損なわれないという効果が得られる。
【００７２】
【発明の効果】
以上説明したように本発明による空気調和機の吹出口開閉装置は、吹出口に略平行に配された複数枚のルーバを所定の規則に基づき第１，第２ルーバ群に区別したとき、これら第１，第２ルーバ群単位でそれぞれに属するルーバをの回動動作を個別に自動制御する。
【００７３】
従って、空気調和機の運転停止時には、第１，第２ルーバ群の双方のルーバによって吹出口を閉鎖するとともに、運転時には第１ルーバ群及び第２ルーバ群のルーバをそれぞれ様々な傾きに個別に変更することにより、運転停止時に、空気中のゴミが吹出口から本体内に侵入する恐れがなくなるとともに、運転時の吹き出し空気の風速や風向きを様々なパターンで制御できるため、空気調和機の使い勝手が向上する。
【図面の簡単な説明】
【図１】    本発明の第１の実施形態に係る空気調和機の吹出口近傍の斜視図であり、（ａ），（ｂ）は水平ルーバにより吹出口を閉鎖した状態、水平ルーバを略水平に回動して吹出口を開放した状態をそれぞれ示している。
【図２】    その吹出口に組み立てられる開閉装置の分解斜視図である。
【図３】    その開閉装置における水平ルーバ及びモータと連結部材との連結状態をフレーム部の一部を破砕して示す一部省略平面図である。
【図４】    本実施形態に係る第１連結部材の平面図である。
【図５】    同上第２連結部材の平面図である。
【図６】    その吹出口の内部の側面断面図であり、（ａ），（ｂ）及び（ｃ）は水平ルーバにより吹出口を閉鎖した状態、第１ルーバ群の４枚の水平ルーバのみを略水平に回動して吹出口の略上半分を開放した状態及び第１ルーバ群の４枚のルーバをやや上向きに傾けるとともに、第２ルーバ群の４枚のルーバをやや下向きに傾けた状態をそれぞれ示している。
【図７】    本発明の第２の実施形態に係る第１連結部材の平面図である。
【図８】    同上第２連結部材の平面図である。
【図９】    その吹出口の内部の側面断面図であり、（ａ），（ｂ）は水平ルーバにより吹出口を閉鎖した状態、第１ルーバ群の４枚の水平ルーバのみを略水平に回動して吹出口の略半分を開放した状態をそれぞれ示している。
【図１０】  本発明の第３の実施形態に係る空気調和機の吹出口の内部の側面断面図である。
【図１１】  その空気調和機の一例の正面図である。
【図１２】  従来の据え置き型空気調和機の一例の外観斜視図である。
【図１３】  その空気調和機の吹出口に組み立てられる開閉装置の分解斜視図である。
【図１４】  その吹出口の内部の側面断面図である。
【図１５】  その吹出口に配された水平ルーバが回動して傾いた状態であり、（ａ），（ｂ）はその回動角が約３０°及び９０°の場合をそれぞれ示している。
【符号の説明】
１    本体
２    フレーム部
３    吹出口
４    水平ルーバ
４Ｈ，４Ｘ  第１ルーバ群
４Ｌ，４Ｙ  第２ルーバ群
５    垂直ルーバ
６Ｒ  第１ルーバ軸
６Ｌ  第２ルーバ軸
７Ｒ  第１モータ
７Ｌ  第２モータ
９    偏心カム
１１    カム軸
１２Ｒ，１２Ｒ’  第１連結部材
１２Ｌ，１２Ｌ’  第２連結部材
１３，１４，１５，１６  軸止孔
１７    軸孔
１００    空気調和機
【図１】
0003748049.tif 000002
【図２】
0003748049.tif 000003
【図３】
0003748049.tif 000004
【図４】
0003748049.tif 000005
【図５】
0003748049.tif 000006
【図６】
0003748049.tif 000007
【図７】
0003748049.tif 000008
【図８】
0003748049.tif 000009
【図９】
0003748049.tif 000010
【図１０】
0003748049.tif 000011
【図１１】
0003748049.tif 000012
【図１２】
0003748049.tif 000013
【図１３】
0003748049.tif 000014
【図１４】
0003748049.tif 000015
【図１５】
0003748049.tif 000016